(57)【要約】【課題】展開接続図の図面枠の表題情報を自動入力し、展開接続図の目次一覧を自動的に作成して、手入力による労力及び転記ミスを低減した展開接続図の表題情報入力手段を得る。【解決手段】展開接続図１の各シートを一覧表にしたシート一覧データ２を形成し、汎用の表計算ソフト３の入力画面上にこのシート一覧データ２を表示し、表示されたシート一覧データ２に表題情報の入力を行って、入力完了されたシート一覧データ２を変換して、シート表題情報展開データ５を生成し、これを用いて展開接続図１の各シートの図面枠に表題情報を自動的に入力するようにした。【選択図】        図１
2004185413.tif 000002
【特許請求の範囲】
【請求項１】
ＣＡＤシステムにおける展開接続図を構成するシートの図面枠に表題情報を入力する展開接続図の表題情報入力手段において、上記展開接続図を構成する各シートを一覧表にしたシート一覧データを作成するシート一覧データ作成部、このシート一覧データ作成部によって作成されたシート一覧データを表計算ソフト上に画面表示し、上記画面上で表題情報の入力処理を行う入力部、及びこの入力部によって表題情報が入力処理されたシート一覧データを変換して形成されたシート表題情報展開データを用いて、上記シートの図面枠に上記表題情報を入力する表題情報入力処理部を備えたことを特徴とする展開接続図の表題情報入力手段。
【請求項２】
上記シート一覧データ作成部は、上記展開接続図の各シートと上記シート一覧データとの整合をとるように構成されていることを特徴とする請求項１記載の展開接続図の表題情報入力手段。
【請求項３】
上記入力部は、表題情報の一部として、日本語タイトルおよびこの日本語タイトルに対応する英語タイトルを入力するように構成されていることを特徴とする請求項１または請求項２記載の展開接続図の表題情報入力手段。
【請求項４】
上記入力部は、同じタイトルが複数ある場合には、上記タイトルに連番を付与するように構成されていることを特徴とする請求項１〜請求項３のいずれかに記載の展開接続図の表題情報入力手段。
【請求項５】
上記入力部は、上記シート一覧データのページ番号を自動的に付与するように構成されていることを特徴とする請求項１〜請求項４のいずれかに記載の展開接続図の表題情報入力手段。
【請求項６】
仮文字と表題情報との対応を定めた仮文字記入定義ファイルを備え、上記シートの図面枠の表題情報の位置に予め仮文字を入力しておくと共に、上記表題情報入力処理部は、上記仮文字記入定義ファイルを用いて、上記シートの仮文字の位置に上記仮文字に対応する表題情報を入力することを特徴とする請求項１〜請求項５のいずれかに記載の展開接続図の表題情報入力手段。
【請求項７】
上記展開接続図のシートから表題情報を抽出する表題情報抽出部を備え、上記表題情報抽出部によって抽出された表題情報を別のシートの表題情報の入力に流用することを特徴とする請求項１〜請求項６のいずれかに記載の展開接続図の表題情報入力手段。
【請求項８】
上記シート表題情報展開データに基づき、上記展開接続図を構成する各シートの目次一覧を作成する目次作成部を備えたことを特徴とする請求項１〜請求項７のいずれかに記載の展開接続図の表題情報入力手段。
【発明の詳細な説明】
【０００１】
【発明の属する技術分野】
この発明は、ＣＡＤシステムにおける展開接続図の描画機能に関わり、展開接続図の各シートへの表題情報の入力を行う展開接続図の表題情報入力手段に関するものである。
【０００２】
【従来の技術】
従来の展開接続図の表題情報入力手段は、ＣＡＤシステムにおける展開接続図を構成するシート（図面データ）を画面に表示し、文字入力コマンドを実行させ、シートの図面枠の表題欄の所定の位置にタイトルや作成日付・作成者などを個々に手入力していた。
この手入力作業をシート枚数分繰り返す。中・小規模の制御盤１面では、数十シートあるので、数十回繰り返すことになる。
また、展開接続図の目次一覧の作成は、全シート（図面データ）を出力し、出力したシートの表題情報のタイトルを見て手入力する必要がある。
これらの手入力の手間を軽減するため、いろんな工夫がなされている。
【０００３】
その工夫の１つとして、図面描画プログラム生成・実行プログラムは、先ず予め作成済みの図面上図表描画情報ファイルと図面形式描画情報ファイルと図面上描画規則情報ファイルとＣＡＤ／ＣＡＭ用図面描画システムで用意されている描画プログラムライブラリファイルとにより合成・変換して、図面描画プログラムファイルの図面描画プログラムを生成し、次いで生成した図面描画プログラムファイルの図面描画プログラムを起動・実行して、図面出力を行っている（特許文献１参照）。
【０００４】
【特許文献１】
特許第３０４８１８６号公報（第４頁、図２）
【０００５】
【発明が解決しようとする課題】
従来の作業では、各シートにタイトルや作成日付・作成者などを手入力する時や展開接続図の目次一覧を手入力する際、多くの労力を要し、また転記ミスをすることがあった。
また、前後のシートの関係は、展開接続図の目次一覧を手入力する時に明確になるので、その時に前後のシートの関係で誤りに気が付いた場合は、再度展開接続図のシート（図面データ）を画面に表示し、表題情報を修正の上、展開接続図の目次一覧に反映する必要があった。
【０００６】
この発明は、上記のような課題を解決するためになされたものであり、展開接続図のシートの図面枠の表題情報を自動入力し、展開接続図の各シートの目次一覧を自動的に作成して、手入力による労力及び転記ミスを低減した展開接続図の表題情報入力手段を得ることを目的とする。
【０００７】
【課題を解決するための手段】
この発明に係わる展開接続図の表題情報入力手段においては、ＣＡＤシステムにおける展開接続図を構成するシートの図面枠に表題情報を入力する展開接続図の表題情報入力手段において、展開接続図を構成する各シートを一覧表にしたシート一覧データを作成するシート一覧データ作成部、このシート一覧データ作成部によって作成されたシート一覧データを表計算ソフト上に画面表示し、画面上で表題情報の入力処理を行う入力部、及びこの入力部によって表題情報が入力処理されたシート一覧データを変換して形成されたシート表題情報展開データを用いて、シートの図面枠に表題情報を入力する表題情報入力処理部を備えたものである。
【０００８】
【発明の実施の形態】
実施の形態１．
図１は、この発明の実施の形態１による表題情報入力手段の全体の情報処理フローを示す図である。
図１において、展開接続図１から、シート一覧データ作成部により、展開接続図１を構成する各シートについてのシート一覧データ２を作成し、各シートの表題情報をシート一覧データ２で管理する。このシート一覧データ２を表計算ソフト３の入力画面（入力部）に表示し、表題情報を入力した後、シート一覧データ２を変換してシート表題情報展開データ５とする。シート表題情報展開データ５と、予め仮文字とこれに対応する表題情報を対応付けた仮文字記入定義ファイル７を元に、表題情報入力処理部により、展開接続図１のシートの図面枠への表題情報の入力が行われる。
展開接続図の各シートの目次一覧６は、シート表題情報展開データ５を元に作成される。また、シート表題情報抽出データ４は、展開接続図１のシートから表題情報を抽出したものである。
【０００９】
次に、動作について説明する。
まず、展開接続図１の各シートからシート一覧データ２を作成し、汎用の表計算ソフト３の入力画面上に表示する。この表計算ソフト３の入力画面上に表示されたシート一覧データ２にタイトルや作成日付・作成者などの表題情報を入力する。表題情報の入力が完了すると、入力完了状態であるシート表題情報展開データ５に自動変換される。シート表題情報展開データ５と、必要に応じて仮文字記入定義ファイル７とを元にして、展開接続図１の各シートの図面枠の表題欄に表題情報を自動で展開し、入力する。
目次一覧６は、シート表題情報展開データ５を元に作成される。また、シート表題情報抽出データ４は、展開接続図１から、タイトルや作成日付・作成者などの表題情報を抽出したもので、抽出された表題情報は、表計算ソフト３の入力画面に表示され、別の展開接続図への表題情報の流用に用いられる。
【００１０】
実施の形態１によれば、表計算ソフトを用いているので、タイトルや作成日付・作成者などの表題情報の入力が簡単になり、作業を軽減することができる。
また、シートの図面枠の表題情報への自動入力の機能及び目次一覧が自動で作成できるように機能を付加したので、設計作業時間の大幅な短縮が図れる。
【００１１】
実施の形態２．
図２は、この発明の実施の形態２による表題情報入力手段の情報処理フロー（シートの追加、削除機能）を示す図である。
実施の形態１で展開接続図１の各シート（図面データ）から、シート一覧データ作成部により、シート一覧データ２を作成したが、実施の形態２は、図２に示すように、図面の改定によりシートが増えたり（追加２１）、減ったり（削除２２）した場合でも、シート一覧データ作成部により、シートの増減を自動で認識し、シート一覧データ１１を更新して整合させるようにした。
【００１２】
実施の形態２によれば、したがって、再度汎用の表計算ソフト３を用いてシート一覧データ２を表示した場合でも、シートの増減に対する編集を行う必要がなく、追加されたシートの表題情報を入力すれば良いので、編集する手間が省ける。
【００１３】
実施の形態３．
図３は、この発明の実施の形態３による表題情報入力手段の情報処理フロー（英語入力対応表機能）を示す図である。
図４は、この発明の実施の形態３による表題情報入力手段の情報処理フロー（タイトルの項目連番付加機能）を示す図である。
図５は、この発明の実施の形態３による表題情報入力手段の情報処理フロー（ページ番号入力機能）を示す図である。
【００１４】
実施の形態１では、展開接続図１のシート（描画出力情報）のシート一覧データ２に表題情報を入力するが、実施の形態３は、図３に示すように、タイトル１（１０５）に図面の日本語名称を入力し、タイトル２（１０６）には英語名称というように、タイトルは日本語と英語を併記した入力が必要なケースがある。なお、入力するタイトルは、ほとんどパターン化されている。
タイトル１（１０５）欄をクリックすると、タイトル入力一覧ウインドウ１２が表示され、選択によりタイトル１（１０５）に日本語、タイトル２（１０６）に英語が簡単に入力できる。従来は、英語名称を調べるのに時間を要していたが、タイトル入力一覧ウインドウ１２に英語名称も表示され、入力も簡単にできるので、入力時間が省ける。
【００１５】
また、図４に示すように、タイトル１（１０５）とタイトル２（１０６）を入力した後、同じタイトル１（１０５）のシートが複数存在する場合、タイトル１（１０５）とタイトル２（１０６）の後ろに項目連番の記載が必要である。項目連番コマンド１３を実行するとタイトル１（１０７）とタイトル２（１０８）のように自動的に連番（先頭からのシート数／トータルシート数）を付加する。
【００１６】
さらに、図５に示すように、表題情報にはページ番号１０９の情報もある。ページ番号１０９は、先頭行を１から開始し、最終行までランニングで入力する。また先頭行と最終行にはトータルページ数も入力する必要がある。
よって、ページ番号入力コマンド１５を実行すると、ページ番号処理を自動で行い、ページ番号１１０が入力される。
【００１７】
実施の形態３によれば、シート一覧データへの英語タイトル入力、タイトルの連番入力、ページ番号入力の労力を低減することができる。
【００１８】
実施の形態４．
図６は、この発明の実施の形態４による表題情報入力手段の情報処理フロー（表題情報の入力機能）を示す図である。
実施の形態４は、図６に示すように事前に展開接続図２０１の図面枠シンボルの表題欄（表題情報１０１）に仮文字１０４にランニング番号１１４を割振って配置し登録しておく。実施の形態１や実施の形態３で述べた表計算ソフトの入力処理を用いてシート表題情報展開データ５を生成する。このシート表題情報展開データ５と、仮文字とこれに対応する表題情報の部分とを対応付ける仮文字記入定義ファイル７を元に、展開接続図２０２の仮文字１０４の位置に対応する表題情報を入れるように、仮文字１０４を表題情報１０１に置き換えることにより、表題情報を入力する。
【００１９】
事前に仮文字記入定義ファイル７で仮文字１０４のランニング番号１１４と、タイトル１０２や作成日付・作成者１０３などの表題情報１０１とを定義付けしておくことにより、入力データファイルに座標データを持たせなくて良いので、入力する際、余計な労力は要しない。
また、表題情報１０１のＣＯＮＴ’Ｄ  ＯＮ１２０に、次シートのシート番号を自動で入力する。最終シートの場合は、最終シートで次シートがないことが認識できるようにＥＮＤなどを入力する。
【００２０】
実施の形態４によれば、仮文字を用いて、その位置に対応する表題情報を入力するので、座標データを持つ必要がない。
【００２１】
実施の形態５．
図７は、この発明の実施の形態５による表題情報入力手段の情報処理フロー（シート流用時の表題情報の取込み機能）を示す図である。
実施の形態１では、展開接続図１の各シートのシート一覧データ２を作成し、実施の形態３に記載された方法などを用いて表題情報１０１を入力するが、実施の形態５は、図７に示すように、図面枠の表題欄に表題情報１０１が入力されている展開接続図２０２のシートを流用するものである。表題情報取込みコマンド１４（表題情報抽出部）を実行すると、その流用するシートの図面枠のタイトル１０２や作成日付・作成者１０３などの表題情報１０１を、シート表題情報抽出データ４に抽出し、抽出した表題情報１１５を画面上に表示する。
この画面上の必要部分を新しいシート用に訂正し、新しいシート用の表題情報を生成し、新しいシート（別のシート）に入力する。
【００２２】
実施の形態５によれば、表題情報が入力された展開接続図のシートを流用して、別のシートへの入力に用いることで、入力の手間を省くことができる。
【００２３】
実施の形態６．
図８は、この発明の実施の形態６による表題情報入力手段の情報処理フロー（目次追加挿入機能）を示す図である。
実施の形態６は、目次作成部により、図８に示すように、シート表題情報展開データ５のタイトル１（１０５）とタイトル２（１０６）を、展開接続図の各シートの目次一覧６の図面名称１１１に入力する。また、元になるシート表題情報展開データの空行欄１１２に数字を入力しておくことにより、展開接続図１の各シートの目次一覧６を作成する場合、入力した数字の空行１１３を自動で設けるようにした。但し０の場合は、空行１１３は設けない。
【００２４】
実施の形態６によれば、展開接続図の各シートの目次一覧を自動的に作成すると共に、シートの増減に柔軟に対応できるようにしているので、展開接続図のシート増減に係る目次一覧の見直しの労力を軽減できる。
【００２５】
【発明の効果】
この発明は、以上説明したように、ＣＡＤシステムにおける展開接続図を構成するシートの図面枠に表題情報を入力する展開接続図の表題情報入力手段において、展開接続図を構成する各シートを一覧表にしたシート一覧データを作成するシート一覧データ作成部、このシート一覧データ作成部によって作成されたシート一覧データを表計算ソフト上に画面表示し、画面上で表題情報の入力処理を行う入力部、及びこの入力部によって表題情報が入力処理されたシート一覧データを変換して形成されたシート表題情報展開データを用いて、シートの図面枠に表題情報を入力する表題情報入力処理部を備えたので、シートの図面枠へのタイトルや作成日付・作成者などの表題情報の入力が簡単になり、入力作業を軽減することができる。
【図面の簡単な説明】
【図１】この発明の実施の形態１による表題情報入力手段の全体の情報処理フローを示す図である。
【図２】この発明の実施の形態２による表題情報入力手段の情報処理フロー（シートの追加、削除機能）を示す図である。
【図３】この発明の実施の形態３による表題情報入力手段の情報処理フロー（英語入力対応表機能）を示す図である。
【図４】この発明の実施の形態３による表題情報入力手段の情報処理フロー（タイトルの項目連番付加機能）を示す図である。
【図５】この発明の実施の形態３による表題情報入力手段の情報処理フロー（ページ番号入力機能）を示す図である。
【図６】この発明の実施の形態４による表題情報入力手段の情報処理フロー（表題情報の入力機能）を示す図である。
【図７】この発明の実施の形態５による表題情報入力手段の情報処理フロー（シート流用時の表題情報の取込み機能）を示す図である。
【図８】この発明の実施の形態６による表題情報入力手段の情報処理フロー（目次追加挿入機能）を示す図である。
【符号の説明】
１  展開接続図、２  シート一覧データ、３  表計算ソフト、
４  シート表題情報抽出データ、５    シート表題情報展開データ、
６  目次一覧、７  仮文字記入定義ファイル、
１１  更新されたシート一覧データ、１２  タイトル入力一覧ウインドウ、
１０１  表題情報、１０２  タイトル、１０３  作成日付・作成者、
１０４  表題情報の仮文字、１０５  タイトル１、１０６  タイトル２、
１０７  項目連番コマンド実行後のタイトル１、
１０８  項目連番コマンド実行後のタイトル２、１０９  ページ番号、
１１０  ページ番号コマンド実行後のページ番号、
１１１  図面名称、１１２  空行欄、１１３  空行、
１１４  表題情報の仮文字のランニング番号、１１５  抽出した表題情報、
１２０  次シート番号、２０１  未記入の展開接続図、
２０２  入力済みの展開接続図。
【図１】
2004185413.tif 000003
【図２】
2004185413.tif 000004
【図３】
2004185413.tif 000005
【図４】
2004185413.tif 000006
【図５】
2004185413.tif 000007
【図６】
2004185413.tif 000008
【図７】
2004185413.tif 000009
【図８】
2004185413.tif 000010